(57)【特許請求の範囲】
【請求項１】
平面型モードや曲面型モードに変化させることができる可変型ディスプレイ装置において、
背面を有するディスプレイパネルと、
前記ディスプレイパネルを前記平面型モード及び前記曲面型モードのいずれか一方のモードで動作させるために、該ディスプレイパネルの前記背面に装着された可変システムと、
を備え、
前記可変システムは、
湾曲形状を有し、前記ディスプレイパネルの前記背面の長さ方向に沿って縁部に装着されたロッドであり、該湾曲形状の頂点は、該ディスプレイパネルの中心に位置する、ロッドと、
前記ディスプレイパネルの前記背面に装着されて前記ロッドを支持する複数の固定装置と、
前記ロッドに力を伝達する駆動システムと、
を含み、前記駆動システムが、
時計回り及び反時計回りのいずれか一方の方向の回転力を発生させるモーターと、
前記モーターの前記回転力を受け取り、該モーターの該回転力を直線力に変換させるブラケットと、
前記ブラケット上に設けられたラックギアと、
前記頂点に対応する領域において前記ロッドに連結されたピニオンと、
を備え、
前記ピニオンと前記ラックギアは、該ラックギアが前記直線力の方向に移動し、該ピニオンが前記モーターの前記回転力とは反対の方向に回転するように互いに歯合された、
可変型ディスプレイ装置。
【請求項２】
バックカバー並びに前記可変システム及び前記ディスプレイパネルの前面上のカバーウインドウを備えたアウターケースと、
前記アウターケースと連結された受台と、
を備える、請求項１に記載の可変型ディスプレイ装置。
【請求項３】
前記ディスプレイパネルは、有機発光素子パネル、液晶パネル、電界放出ディスプレイパネル、電気発光ディスプレイパネル、のうちの、いずれか一つである、請求項１に記載の可変型ディスプレイ装置。
【請求項４】
前記ロッドは、アルミニウム（Ａｌ）やステンレススチールを含み、前記可変型ディスプレイ装置を撓ませる剛性を有する、請求項１に記載の可変型ディスプレイ装置。
【請求項５】
前記複数の固定装置は、
前記ディスプレイパネルに直接装着される装着部と、
前記ロッドを囲んで支持する支持部と、
を含む、請求項２に記載の可変型ディスプレイ装置。
【請求項６】
前記ロッドは、前記支持部によって支持されたまま回転できるように構成された、請求項５に記載の可変型ディスプレイ装置。
【請求項７】
駆動システムとディスプレイパネルとを備え、平面型モードや曲面型モードに変化させることができる可変型ディスプレイ装置において、
前記駆動システムは、
第１方向及び第２方向の内の一方の方向に回転力を発生させるモーターと、
前記モーターの前記回転力を受け取り、該モーターの該回転力を直線力に変換させるブラケットと、
前記ブラケット上に設けられたラックギアと、
前記ラックギアと歯合され、湾曲形状のロッドと連結されるピニオンと、
を備え、
前記回転力は、前記ディスプレイパネルの一部が前記ディスプレイパネルの中心に向かって移動するように、前記湾曲形状のロッドの動きを発生させ、
前記ラックギアが前記直線力の方向に移動したときに、前記ピニオンは前記モーターの前記回転力とは反対の方向に回転する、
可変型ディスプレイ装置。
【請求項８】
前記ロッドは、複数の固定装置を用いて前記可変型ディスプレイ装置の背面の長さ方向に沿って縁部に装着される、請求項７に記載の可変型ディスプレイ装置。
【請求項９】
前記複数の固定装置のそれぞれは、
前記ディスプレイパネルに直接装着される装着部と、
前記ロッドを囲んで支持する支持部と、
を含む、請求項８に記載の可変型ディスプレイ装置。
【請求項１０】
前記ロッドは、前記支持部によって支持されたまま回転できるように構成された、請求項９に記載の可変型ディスプレイ装置。
【請求項１１】
平面型モードや曲面型モードに変化させることができるディスプレイ装置の駆動方法であって、該ディスプレイ装置は、
ディスプレイパネルと、
前記ディスプレイパネルの背面を覆い、湾曲形状のロッドを有する可変システムと、
前記ロッドを支持する複数の固定装置と、
前記ロッドに力を伝達する駆動システムと、を備え、該駆動システムは、
時計回り及び反時計回りのいずれか一方の方向の回転力を発生させるモーターと、
前記モーターの前記回転力を受け取り、該モーターの該回転力を直線力に変換させるブラケットと、
前記ブラケット上に設けられたラックギアと、
前記湾曲形状のロッドに該湾曲形状の頂点に対応する領域において連結され、前記ラックギアとお互いに歯合するピニオンと、
を備えており、前記駆動方法は、
前記ディスプレイパネルの曲率を調節するように前記駆動システムを動作させ、前記湾曲形状のロッドを回転させる段階を含み、
前記駆動システムの前記ラックギアが前記直線力の方向に移動したときに、前記ピニオンは前記モーターの前記回転力とは反対の方向に回転する、
ディスプレイ装置の駆動方法。
【請求項１２】
前記ロッドの動きは、前記ディスプレイパネルの一部の動きを促進させる、請求項１１に記載のディスプレイ装置の駆動方法。
【請求項１３】
前記ディスプレイパネルの一部の動きによって、前記ディスプレイパネルが曲面を成すように構成される、請求項１２に記載のディスプレイ装置の駆動方法。
【請求項１４】
前記ディスプレイパネルの一部の動きによって、前記ディスプレイパネルが平面を成すように構成される、請求項１３に記載のディスプレイ装置の駆動方法。
【発明の詳細な説明】
【技術分野】
【０００１】
本発明は、平板型モード及び曲面型モードの間を切り替えて使用することができる可変型ディスプレイ装置並びにその平板型モード及び曲面型モードの駆動方法に関する。
【背景技術】
【０００２】
近年、本格的な情報化時代に突入するに従い、大量の情報を処理及び表示するディスプレイ分野が急速に発展してきており、それに応じて様々なフラットディスプレイ装置が開発されて脚光を浴びている。
【０００３】
このようなフラットディスプレイ装置の具体例では、液晶ディスプレイ装置（Ｌｉｑｕｉｄ  Ｃｒｙｓｔａｌ  Ｄｉｓｐｌａｙ  ｄｅｖｉｃｅ：ＬＣＤ）、プラズマディスプレイ装置（Ｐｌａｓｍａ  Ｄｉｓｐｌａｙ  Ｐａｎｅｌ  ｄｅｖｉｃｅ：ＰＤＰ）、電界放出ディスプレイ装置（Ｆｉｅｌｄ  Ｅｍｉｓｓｉｏｎ  Ｄｉｓｐｌａｙ  ｄｅｖｉｃｅ：ＦＥＤ）、電気発光ディスプレイ装置（Ｅｌｅｃｔｒｏｌｕｍｉｎｅｓｃｅｎｃｅ  Ｄｉｓｐｌａｙ  ｄｅｖｉｃｅ：ＥＬＤ）、有機発光素子（Ｏｒｇａｎｉｃ  Ｌｉｇｈｔ  Ｅｍｉｔｔｉｎｇ  Ｄｉｏｄｅｓ：ＯＬＥＤ）などが挙げられる。これらフラットディスプレイ装置は薄型、軽量、低消費電力といった優れた性能を示し、既存のブラウン管（Ｃａｔｈｏｄｅ  Ｒａｙ  Ｔｕｂｅ：ＣＲＴ）を急速に代替している。
【０００４】
このようなフラットディスプレイ装置は、高画質化、超薄型化、軽量化及び大面積化に有利な長所を有する。また、空間活用性、インテリア及びデザイン面で長所を有することから様々な分野に応用することができる。
【０００５】
そして、最近は、曲面型ディスプレイ装置（ｃｕｒｖｅｄ  ｄｉｓｐｌａｙ  ｄｅｖｉｃｅ）が次世代ディスプレイ装置として急浮上している。曲面型ディスプレイ装置はユーザーの没入感を更に向上させ、画像のリアリティも向上させて、ユーザーに快適さまで感じさせることができる。また、平板型ディスプレイ装置より広い視聴範囲を有することができる。
【０００６】
一方、最近は、平板型ディスプレイ装置の長所と共に、没入感を向上させ、かつ、広い視聴範囲を有する曲面型ディスプレイ装置の長所を満たせる可変型ディスプレイ装置に対する研究が求められている。
【０００７】
可変型ディスプレイ装置は、空間活用性を向上させるためには平板型モードで動作させ、また、ユーザーの没入感を向上させたり、より広い視聴範囲を具現化したりするためには曲面型モードで動作させることで、ユーザーの便宜を図ることができる。  
【発明の概要】
【発明が解決しようとする課題】
【０００８】
本発明は上記のような問題点を解決するためのものであり、平板型ディスプレイ装置と曲面型ディスプレイ装置を共に具現化できる可変型ディスプレイ装置を提供することを第１の目的とする。
【０００９】
また、曲面型ディスプレイ装置を具現化する過程において正確な曲率を持たせることを第２の目的とし、平板型ディスプレイ装置又は曲面型ディスプレイ装置に切り替える過程における騒音及び振動を最小化した、軽量及び薄型の可変型ディスプレイ装置を提供することを第３の目的とする。
【課題を解決するための手段】
【００１０】
前述のような目的を達成するため、本発明は、平面や曲面に変化させることができる可変型ディスプレイ装置において、背面を有するディスプレイパネルと、前記ディスプレイパネルの背面に位置する可変システムとを備え、前記可変システムは、ロッドと、前記ディスプレイパネルの背面に装着されて前記ロッドを支持する固定装置と、前記ロッドに力を伝達する駆動システムとを含む可変型ディスプレイ装置を提供する。
【００１１】
前記可変型ディスプレイ装置は、バックカバー及びウインドウを含み、前記ディスプレイパネル及び可変システムを覆うアウターケースと、前記可変型ディスプレイ装置を装着するように構成された受台とを備えることができる。
【００１２】
前記ディスプレイパネルは、有機発光素子パネル、液晶パネル、電界放出ディスプレイパネル、及び電気発光ディスプレイパネルのうちの一つである。
【００１３】
前記ロッドは、曲面を有し、前記ディスプレイパネルの背面に装着される。また、前記ロッドの曲面の頂点は、ディスプレイパネルの中心に位置することができる。
【００１４】
前記ロッドは、アルミニウム（Ａｌ）やステンレススチールを含み、前記可変型ディスプレイ装置を撓ませる剛性を有することができる。
【００１５】
前記固定装置は、前記ディスプレイパネルに直接装着される装着部と、前記ロッドを囲んで支持する支持部とを含むことができる。
【００１６】
前記支持部の内面と前記ロッドの外面との間にギャップが位置し、前記ロッドは前記支持部によって支持されたまま回転できるように構成することができる。
【００１７】
前記駆動システムは、回転力を発生させるモーターと、前記モーターの回転力を直線力に変換させるブラケットとを含むことができる。
【００１８】
前記可変型ディスプレイ装置は、前記ブラケットに位置するラックギアと、前記ロッドに連結されたピニオンとを備え、前記ピニオンと前記ラックギアは、互いに歯合することができる。
【００１９】
他の側面で、本発明は、駆動システムとディスプレイパネルとを備え、平面や曲面に変化させることができる可変型ディスプレイ装置において、前記駆動システムは、第１方向及び第２方向に回転力を発生させるモーターと、前記モーターの回転力を直線力に変換させるブラケットと、前記ブラケットに位置するラックギアと、前記ラックギアと歯合され、前記ロッドと連結されるピニオンとを備え、前記回転力は、前記ディスプレイパネルの一部が前記ディスプレイパネルの中心に向かって移動するように前記ロッドの動きを発生させる可変型ディスプレイ装置を提供する。
【００２０】
前記ロッドは、複数の固定装置を介して前記可変型ディスプレイ装置の背面に装着することができる。
【００２１】
前記複数の固定装置のそれぞれは、前記ディスプレイパネルに直接装着される装着部と、前記ロッドを囲んで支持する支持部とを含むことができる。
【００２２】
前記支持部の内面と前記ロッドの外面との間にギャップが位置し、前記ロッドは前記支持部によって支持されたまま回転できるように構成することができる。
【００２３】
さらに他の側面で、本発明は、ディスプレイパネルと、前記ディスプレイパネルの背面を覆い、ロッドを有する可変システムと、前記ロッドを支持する固定装置と、前記ロッドに力を伝達する駆動システムとを備え、平面や曲面に変化させることができるディスプレイ装置の駆動方法において、前記ディスプレイパネルの曲率を調節するよう前記駆動システムを動作させ、前記ロッドを回転させる段階を含むディスプレイ装置の駆動方法を提供する。
【００２４】
前記ロッドの動きは、前記ディスプレイパネルの一部の動きを促進させることができる。
【００２５】
前記ディスプレイパネルの一部の動きによって、前記ディスプレイパネルが曲面を成すように構成することができる。
【００２６】
前記ディスプレイパネルの一部の動きによって、前記ディスプレイパネルが平面を成すように構成することができる。
【発明の効果】
【００２７】
前述したように、本発明に従い、ディスプレイパネルモジュールの背面にロッドを含む可変システムを装着し、選択的に平板型モードから凸状曲面型モード若しくは凹状曲面型モードに切り替えることができる可変型ディスプレイ装置を提供することにより、空間の活用が求められる場合は、平面型モードに具現化して可変型ディスプレイ装置の占める面積を最小化することができる。また、ユーザーの没入感を向上させ、かつ、画像のリアリティを向上させて、ユーザーに快適さを感じさせるためには、凹状曲面型モードで動作させる一方、室外の広場のように開放された空間、または空港やターミナルなどの室内広場に設けられて多くの視聴者に具現化された画像でニュースや広告などの内容を伝えようとする場合は、広い視聴範囲を具現化できる凸状平板型モードで動作させることができる。よって、ユーザーの便宜を図る効果を奏する。
【図面の簡単な説明】
【００２８】
【図１ａ】本発明の実施例に係る可変型ディスプレイ装置を概略的に示した斜視図である。
【図１ｂ】本発明の実施例に係る可変型ディスプレイ装置を概略的に示した斜視図である。
【図１ｃ】本発明の実施例に係る可変型ディスプレイ装置を概略的に示した斜視図である。
【図２】本発明の実施例に係る可変型ディスプレイ装置の背面を概略的に示した斜視図である。
【図３】ディスプレイパネルモジュールの背面に装着された可変システムを概略的に示した斜視図である。
【図４ａ】本発明の実施例に係る可変システムが動作する様子を概略的に示した図面である。
【図４ｂ】本発明の実施例に係る可変システムが動作する様子を概略的に示した図面である。
【図４ｃ】本発明の実施例に係る可変システムが動作する様子を概略的に示した図面である。
【図５ａ】図４ａの可変システムの動作によってディスプレイパネルモジュールが可変する様子を概略的に示した斜視図である。
【図５ｂ】図４ｂの可変システムの動作によってディスプレイパネルモジュールが可変する様子を概略的に示した斜視図である。
【図５ｃ】図４ｃの可変システムの動作によってディスプレイパネルモジュールが可変する様子を概略的に示した斜視図である。
【発明を実施するための形態】
【００２９】
以下、図面を参照し、本発明に係る実施例を詳細に説明する。
【００３０】
図１ａ〜１ｃは、本発明の実施例に係る可変型ディスプレイ装置を概略的に示した斜視図である。図２は、本発明の実施例に係る可変型ディスプレイ装置の背面を概略的に示した斜視図である。
【００３１】
図面に示すように、本発明の実施例に係る可変型ディスプレイ装置１００は、画像を大きく具現化するためのディスプレイパネルモジュール１１０と、ディスプレイパネルモジュール１１０を収容するアウターケース１２０と、アウターケース１２０の下段部若しくは背面部に連結されて机や壁面に固定されるように形成された足部１３０とからなる。
【００３２】
ディスプレイパネルモジュール１１０は、液晶ディスプレイ装置（Ｌｉｑｕｉｄ  Ｃｒｙｓｔａｌ  Ｄｉｓｐｌａｙ  ｄｅｖｉｃｅ：ＬＣＤ）、プラズマディスプレイ装置（Ｐｌａｓｍａ  Ｄｉｓｐｌａｙ  Ｐａｎｅｌ  ｄｅｖｉｃｅ：ＰＤＰ）、電界放出ディスプレイ装置（Ｆｉｅｌｄ  Ｅｍｉｓｓｉｏｎ  Ｄｉｓｐｌａｙ  ｄｅｖｉｃｅ：ＦＥＤ）、電気発光ディスプレイ装置（Ｅｌｅｃｔｒｏｌｕｍｉｎｅｓｃｅｎｃｅ  Ｄｉｓｐｌａｙ  ｄｅｖｉｃｅ：ＥＬＤ）、有機発光素子（Ｏｒｇａｎｉｃ  Ｌｉｇｈｔ  Ｅｍｉｔｔｉｎｇ  Ｄｉｏｄｅｓ：ＯＬＥＤ）のうち、一つからなるディスプレイパネルを含むが、紙のように曲がってもディスプレイ性能をそのまま維持できるフレキシブルディスプレイ装置の代表であるＯＬＥＤを用いることが望ましい。
【００３３】
ＯＬＥＤは自発光素子であって、非発光素子の液晶ディスプレイ装置に用いられるバックライトが要らないため、軽量化及び薄型化が可能である。
【００３４】
そして、液晶ディスプレイ装置に比べて視野角及びコントラストに優れており、消費電力面でも有利で直流低電圧駆動が可能である。また、応答速度が速く、内部構成要素が固体であるため、外部からの衝撃に強く、使用温度範囲も広いといった長所を有する。
【００３５】
特に、製造工程が単純であるため、生産原価を既存の液晶ディスプレイ装置より大きく節減できるという長所がある。
【００３６】
かかるＯＬＥＤからなるディスプレイパネルは、第１基板と、第１基板と向き合う第２基板とで構成される。第１及び第２基板は、接着性を有する保護層を介して互いに離隔して貼り合わされる。
【００３７】
図面には示していないが、更に詳しく説明すると、第１基板の上部には画素領域毎に駆動薄膜トランジスタが設けられる。それぞれの駆動薄膜トランジスタには第１電極が連結され、第１電極の上部には特定色の光を発光する有機発光層が設けられる。有機発光層の上部には第２電極が設けられる。
【００３８】
有機発光層は赤・緑・青色を表現する。一般的方法では、画素毎に赤・緑・青色を発光する別途の有機物質をパターニングして使用する。
【００３９】
これら第１及び第２電極とその間に形成された有機発光層は、発光ダイオードを構成する。かかる構造を有するディスプレイパネルは、第１電極を陽極（ａｎｏｄｅ）として、第２電極を陰極（ｃａｔｈｏｄｅ）として構成される。
【００４０】
かかるディスプレイパネルはバックカバーとカバーウィンドウを介してモジュール化され、ディスプレイパネルモジュール１１０を構成する。バックカバーはディスプレイパネルの背面と側面の一部を覆う形状であり、前面が開口されてディスプレイパネルで具現化される画像を表示するように構成される。
【００４１】
そして、バックカバーの開口された前面には、ディスプレイパネルを保護できるカバーウィンドウが組立・締結される。
【００４２】
かかるディスプレイパネルモジュール１１０を備える本発明の実施例に係る可変型ディスプレイ装置１００は、図１ａに示すように、画像の具現化されるディスプレイパネルモジュール１１０が平らな平板型からなる平板型モード（ｆｌａｔ  ｍｏｄｅ）で動作することにより、空間の活用性が向上する。また、図１ｂに示すように画像の具現化されるディスプレイパネルモジュール１１０がディスプレイパネルモジュール１１０の前方を基準にして凹状に湾曲された曲面部を有する凹状曲面型モード（ｃｏｎｃａｖｅ  ｃｕｒｖｅｄ  ｍｏｄｅ）で動作することにより、視聴者の没入感を更に向上させ、画像のリアリティも向上させて、ユーザーに快適さを感じさせることができる。
【００４３】
また、図１ｃに示すように、画像の具現化されるディスプレイパネルモジュール１１０がディスプレイパネルモジュール１１０の前方を基準にして凸状に湾曲された曲面部を有する凸状曲面型モード（ｃｏｎｖｅｘ  ｃｕｒｖｅｄ  ｍｏｄｅ）で動作することによって広い視聴範囲を有することになり、多くの視聴者にディスプレイパネルで具現化される画像によるニュースや広告などの内容を伝えることができる。
【００４４】
即ち、本発明の可変型ディスプレイ装置１００は選択的に平板型モード及び凸状曲面型モードまたは凹状曲面型モードに切り替えられるため、ユーザーは必要に応じて平板型モード及び曲面型モードのディスプレイ装置を選択して使用することができる。よって、ユーザーの便宜を図ることができる。
【００４５】
そのような機能は、図２に示すようにディスプレイパネルモジュール１１０の背面、即ち、バックカバーの背面に装着される可変システム（ａｄｊｕｓｔａｂｌｅ  ｓｙｓｔｅｍ）２００によるものである。本発明の可変型ディスプレイ装置１００は、バックカバーの背面に装着される可変システム２００によって平板型モード又は曲面型モードで動作することになる。
【００４６】
それについて更に詳しく説明する。
【００４７】
図３は、ディスプレイパネルモジュールの背面に装着された可変システムを概略的に示した斜視図である。
【００４８】
図面に示すように、可変システム２００はディスプレイパネルモジュール１１０のバックカバーの背面に装着される。可変システム２００は、ロッド（ｒｏｄ）２１０と、ロッド２１０の固定装置２３０と、ロッド２１０に動力を伝達する駆動システム２２０とからなる。
【００４９】
それについて詳しく説明すると、ロッド２１０は、湾曲された曲面を有するように撓んでいる形でディスプレイパネルモジュール１１０の背面の長さ方向に沿って両側縁部に装着される。その時、ロッド２１０は、曲面の頂点（Ａ）がディスプレイパネルモジュール１１０の中心に位置するように装着される。
【００５０】
そして、ディスプレイパネルモジュール１１０の両側縁部に沿って装着されるロッド２１０は、全て曲面の頂点（Ａ）がディスプレイパネルモジュール１１０の両側縁部のうち、一側縁部に向かって装着される。
【００５１】
ロッド２１０は、剛性に優れているアルミニウム（Ａｌ）材質にしても良く、ステンレススチール材質にしても良いが、それに限定されない。材質に係わらず、ロッド２１０は、ディスプレイ装置を撓ませる程度の十分な剛性を有する必要がある。
【００５２】
ロッド２１０の直径は、ディスプレイパネルモジュール１１０に対して荷重による圧力を加えられる程度であれば良いが、ディスプレイパネルモジュール１１０の長さ方向に対応する長さを有することが望ましい。
【００５３】
ロッド２１０は、複数の固定装置２３０を介してディスプレイパネルモジュール１１０の背面に装着される。固定装置２３０は、ディスプレイパネルモジュール１１０に直接装着・固定される装着部２３１と、ロッド２１０を囲んで支持する支持部２３２とからなる。
【００５４】
ロッド２１０が支持部２３２に支持されたまま回転できるよう、支持部２３２はロッド２１０と密着される。
【００５５】
駆動システム２２０は、回転力を発生させるモーター２２１と、モーター２２１の回転運動を直線運動に変換させるブラケットとを含む。歯の付けられたラックギア２２５は、ブラケット２２３上に設けられる。
【００５６】
ロッド２１０には、曲面の頂点（Ａ）に該当する領域に小さい歯車状のピニオン２１３が装着されている。ピニオン２１３は、駆動システム２２０のラックギア２２５と互いに歯合し、噛み合って形成される。
【００５７】
かかる本発明の可変システム２００はディスプレイパネルモジュール１１０のバックカバーの背面に装着されるため、本発明の実施例に係る可変型ディスプレイ装置（図２の１００）は選択的に平板型モード又は曲面型モードに切り替えて使用することができる。
【００５８】
図４ａ〜４ｃを参照し、可変システム２００を介して可変型ディスプレイ装置（図２の１００）が平板型モードから曲面型モードに切り替えられる様子について更に詳細に説明する。
【００５９】
図４ａ〜４ｃは、本発明の実施例に係る可変システムが動作する様子を概略的に示した図面である。また、図５ａ〜５ｃは、図４ａ〜４ｃの可変システムの動作によってディスプレイパネルモジュールのモードが切り替わる様子を概略的に示した斜視図である。
【００６０】
図４ａに示すように、可変システム（図３の２００）のロッド２１０は、ディスプレイパネルモジュール１１０のバックカバーの背面に装着部を介し、長さ方向に沿って装着される。ロッド２１０は、曲面の頂点（Ａ）が図面上に定義した＋Ｙ軸方向に向かうように装着される。
【００６１】
かかるロッド２１０の曲面の頂点（Ａ）にはピニオン２１３が装着され、駆動システム（図３の２２０）に連結されたブラケット２２３に設けられたラックギア２２５と、ピニオン２１３とが互いに歯合し、噛み合って構成される。
【００６２】
モーター（図３の２２１）を時計回りに駆動させるとモーター（図３の２２１）の回転力がブラケット２２３に伝達され、ブラケット２２３に伝達された回転力は直線運動に変換される。その結果、ブラケット２２３に設けられたラックギア２２５がロッド２１０の曲面の頂点（Ａ）方向、即ち、図面上の＋Ｙ軸方向に移動することになる。
【００６３】
ラックギア２２５が図面上の＋Ｙ軸方向に移動することにより、ラックギア２２５の歯車に互いに歯合し、噛み合って形成されたピニオン２１３は、ラックギア２２５の移動方向と反対方向である図面上の−Ｙ軸方向に回転することになる。その結果、ピニオン２１３に固定されたロッド２１０は−Ｙ軸方向に回転する。
【００６４】
その時、ロッド２１０は−４５度回転する。ロッド２１０が−４５度回転することにより、ロッド２１０の曲面の頂点（Ａ）はディスプレイパネルモジュール１１０の後方に向かうことになる。その結果、ロッド２１０の全体的形状は、ディスプレイパネルモジュール１１０の後方に凸状に湾曲された形状となる。
【００６５】
剛性に優れている（即ち、十分な剛性を有する）ロッド２１０がディスプレイパネルモジュール１１０のバックカバーの背面に装着されることにより、ロッド２１０の荷重による圧力がディスプレイパネルモジュール１１０に加えられる。その結果、ディスプレイパネルモジュール１１０の背面がディスプレイパネルモジュール１１０の後方に凸状に湾曲されて撓みが発生する。
【００６６】
即ち、図５ａに示すように、ロッド２１０を含む可変システム（図３の２００）の装着されたディスプレイパネルモジュール１１０は、画像の具現化される一面がディスプレイパネルモジュール１１０の前方から凹状に湾曲された形を有する。
【００６７】
したがって、凹状曲面型モードが具現化される。
【００６８】
そして、凹状曲面型モードにおいてモーター（図３の２２１）を反時計回りに駆動させると、図４ｂに示すようにブラケット２２３に設けられたラックギア２２５が図面上の−Ｙ軸方向に移動することになる。それにより、ラックギア２２５の歯車に互いに歯合し、噛み合って形成されたピニオン２１３は、ラックギア２２５の移動方向と反対方向である図面上の＋Ｙ軸方向に回転し、その結果、ピニオン２１３に固定されたロッド２１０が＋Ｙ軸方向に回転することになる。
【００６９】
その時、ロッド２１０は＋４５度回転する。ロッド２１０が＋４５度回転することにより、ロッド２１０の曲面の頂点（Ａ）は、凹状曲面型モードが具現化される前の初期位置に戻る。即ち、ロッド２１０の曲面の頂点（Ａ）は、ディスプレイパネルモジュール１１０の一側縁部である図面上の＋Ｙ軸方向に向かうことになる。
【００７０】
前述のようにロッド２１０が図面上の＋Ｙ軸方向に向かうことにより、ロッド２１０はディスプレイパネルモジュール１１０に圧力を加えなくなる。その結果、図５ｂに示すように、ディスプレイパネルモジュール１１０は平面型モードを具現化する。
【００７１】
そして、本発明の可変型ディスプレイ装置（図２の１００）は、平面型モードにおいてモーター（図３の２２１）を反時計回りに駆動させるとモーター（図３の２２１）の回転力によって、図４ｃに示すようにブラケット２２３に設けられたラックギア２２５がロッド２１０の曲面の頂点（Ａ）方向、即ち、図面上の−Ｙ軸方向に移動することになる。
【００７２】
ラックギア２２５が図面上の−Ｙ軸方向に移動することにより、ラックギア２２５の歯車に互いに歯合し、噛み合って形成されたピニオン２１３は、ラックギア２２５の移動方向と反対方向である図面上の＋Ｙ軸方向に回転することになる。その結果、ピニオン２１３に固定されたロッド２１０は＋Ｙ軸方向に回転する。
【００７３】
その時、ロッド２１０は＋４５度回転する。ロッド２１０が＋４５度回転することにより、ロッド２１０の曲面の頂点（Ａ）はディスプレイパネルモジュール１１０の前方に向かうことになる。その結果、ロッド２１０の全体的形状は、ディスプレイパネルモジュール１１０の前方に凸状に湾曲された形状となる。
【００７４】
剛性に優れている（即ち、十分な剛性を有する）ロッド２１０がディスプレイパネルモジュール１１０のバックカバーの背面に装着されることにより、ロッド２１０の荷重による圧力がディスプレイパネルモジュール１１０に加えられる。その結果、ディスプレイパネルモジュール１１０の背面がディスプレイパネルモジュール１１０の前方に凸状に湾曲されて撓みが発生する。
【００７５】
即ち、図５ｃに示すように、ロッド２１０を含む可変システム（図３の２００）の装着されたディスプレイパネルモジュール１１０は、画像の具現化される一面がディスプレイパネルモジュール１１０の前方から凸状に湾曲された形を有する。
【００７６】
したがって、凸状曲面型モードが具現化される。
【００７７】
前述のように、本発明の可変型ディスプレイ装置（図２の１００）はディスプレイパネルモジュール１１０の背面にロッド２１０を含む可変システム（図３の２００）を装着することで、ディスプレイパネルモジュール１００を選択的に平板型モードから凸状曲面型モード若しくは凹状曲面型モードに切り替えて使用することができる。
【００７８】
即ち、空間の活用が求められる場合は、平面型モードに具現化して可変型ディスプレイ装置（図２の１００）が占める面積を最小化することができる。また、ユーザーの没入感を向上させ、かつ、画像のリアリティを向上させて、ユーザーに快適さを感じさせるためには、凹状曲面型モードに具現化して動作させる。
【００７９】
また、室外の広場のように開放された空間、または空港やターミナルなどの室内広場に設けられて多くの視聴者に具現化された画像でニュースや広告などの内容を伝えようとする場合は、広い視聴範囲を具現化できる凸状平板型モードで動作させる。
【００８０】
したがって、ユーザーは一つの本願発明に係る可変型ディスプレイ装置（図２の１００）を、便宜に応じて選択的に平板型モード及び凸状若しくは凹状曲面型モードに具現化し、使用することができる。
【００８１】
本発明の可変システム（図３の２００）のロッド２１０は、可変型ディスプレイ装置（図２の１００）で具現化しようとする曲面に対応する曲面を有するように形成される。そのため、可変型ディスプレイ装置（図２の１００）が凸状若しくは凹状曲面型モードを具現化するに当たり、正確な曲率を有することができる。
【００８２】
そして、本発明の可変システム（図３の２００）は、ロッド２１０とモーター２２１とからなり、ロッド２１０がディスプレイパネルモジュール１１０のバックカバーの背面に直接装着されるため、可変型ディスプレイ装置（図２の１００）内で可変システム（図３の２００）の占める体積及び重量が最小化される。
【００８３】
よって、本発明の可変型ディスプレイ装置（図２の１００）は、平板型モード又は曲面型モードに切り替えることができる上、軽量化及び薄型化を具現することができる。
【００８４】
また、可変システム（図３の２００）の体積が最小化されることにより、ディスプレイパネルモジュール１１０の背面に実装される複数の構成要素と干渉することなく設計することが可能である。したがって、工程の効率が向上する。
【００８５】
また、可変型ディスプレイ装置（図２の１００）が平板型モード又は曲面型モードに切り替わる過程において、ロッド２１０が−４５度若しくは＋４５度回転できる程度だけ、ブラケット２２３に装着されたラックギア２２５を移動させればいいので、モーター（図３の２２１）の駆動を最小限にすることができる。したがって、平板型モード又は曲面型モードに切り替わる過程において、振動や騒音が最小化される。
【００８６】
さらに、かかる可変システム（図３の２００）は、ディスプレイパネルモジュール１１０のサイズが大きくなるほど、ディスプレイパネルモジュール１１０のサイズに対応するロッド２１０のみを交換して適用することができる。したがって、ディスプレイパネルモジュール２１０のモデル互換性が向上する。
【００８７】
前述のように、本発明の実施例に係る可変型ディスプレイ装置（図２の１００）は、ディスプレイパネルモジュール１１０のバックカバーの背面にロッド２１０及びモーター（図３の２２１）を装着することにより、ロッド２１０の荷重による圧力を通じて、ディスプレイパネルモジュール１１０を平板型モード及び凸状若しくは凹状曲面型モードに切り替えることができる。したがって、ユーザーは便宜に応じ、ディスプレイ装置を選択的に平板型モード又は曲面型モードに切り替えて使用することができる。
【００８８】
本発明は上記実施例に限定されず、本発明の要旨を逸脱しない範囲内で種々に変更して実施することができる。
【符号の説明】
【００８９】
１００…可変型ディスプレイ装置、１１０…ディスプレイパネル、１２０…アウターケース、２００…可変システム
【図１ａ】
0005875667.tif 000002
【図１ｂ】
0005875667.tif 000003
【図１ｃ】
0005875667.tif 000004
【図２】
0005875667.tif 000005
【図３】
0005875667.tif 000006
【図４ａ】
0005875667.tif 000007
【図４ｂ】
0005875667.tif 000008
【図４ｃ】
0005875667.tif 000009
【図５ａ】
0005875667.tif 000010
【図５ｂ】
0005875667.tif 000011
【図５ｃ】
0005875667.tif 000012